(57)【要約】【課題】複数のバルブをマニホールド部に適切に固定することができる記録装置を提供する。【解決手段】記録媒体が載置される載置面が複数の吸引エリアに区画され、各吸引エリアに吸引孔が設けられたテーブル部と、テーブル部に載置された記録媒体に対し、画像を記録する記録部と、吸引エリア毎に吸引孔に連なる複数の個別吸引管３４と、複数の個別吸引管３４と、各個別吸引管３４を介して吸引孔に吸引力を作用させる吸引源と、の間に設けられたマニホールド３３と、各個別吸引管３４とマニホールド３３との間に設けられた複数のバルブ３９と、各バルブ３９とマニホールド３３とを接続する複数の継手部４３とを備えた。【選択図】図５
2015182281.tif 000002
【特許請求の範囲】
【請求項１】
記録媒体が載置される載置面が複数の吸引エリアに区画され、前記各吸引エリアに吸引
孔が設けられたテーブル部と、
前記テーブル部に載置された前記記録媒体に対し、画像を記録する記録部と、
前記吸引エリア毎に前記吸引孔に連なる複数の個別吸引管と、
前記複数の個別吸引管と、前記各個別吸引管を介して前記吸引孔に吸引力を作用させる
吸引源と、の間に設けられたマニホールド部と、
前記各個別吸引管と前記マニホールド部との間に設けられた複数のバルブと、
前記各バルブと前記マニホールド部とを接続する複数の継手部と、
を備えたことを特徴とする記録装置。
【請求項２】
前記各バルブは、バルブ本体と、操作レバーと、を有し、
前記各継手部は、吸引上流側から順に、食い込み継手と、継手接続部材と、を有し、
前記継手接続部材は、前記マニホールド部と前記食い込み継手とを接続する接続管部、
を含み、前記接続管部を軸とした所定の回転姿勢で前記マニホールド部に固定され、
前記食い込み継手は、前記接続管部が差し込まれる差込口が設けられた継手本体と、前
記継手本体に螺合するナットと、前記継手本体と前記ナットとの間に挟まれたスリーブと
、を含むことを特徴とする請求項１に記載の記録装置。
【請求項３】
前記各バルブ本体は、前記各操作レバーが着脱可能に取り付けられるレバー取付部、を
含み、
前記各操作レバーを前記各レバー取付部に取り付けるためのレバー開口が形成された操
作パネル、をさらに備えたことを特徴とする請求項２に記載の記録装置。
【請求項４】
前記吸引源、をさらに備え、
前記吸引源は、前記テーブル部に対し、前記操作パネルとは反対側に設けられているこ
とを特徴とする請求項３に記載の記録装置。
【請求項５】
管状のフレーム部材を有し、前記テーブル部を支持するベース部、をさらに備え、
前記マニホールド部は、前記フレーム部材で構成されていることを特徴とする請求項１
または２に記載の記録装置。
【発明の詳細な説明】
【技術分野】
【０００１】
本発明は、記録媒体が載置されるテーブル部を備えた記録装置に関するものである。
【背景技術】
【０００２】
従来、印刷対象物が載置される載置面が複数の領域に区画され、各領域に吸引孔が設け
られた昇降テーブルと、昇降テーブルに載置された印刷対象物に対し、画像を記録するプ
リンターヘッドモジュールと、領域毎に吸引孔に連なる複数のホースと、複数のホースと
各ホースを介して吸引孔に吸引力を作用させるリングブロアとの間に設けられたエアーチ
ャンバーと、各ホースに設けられたバルブまたはチェックバルブと、を備えたインクジェ
ット・ディジタル印刷機が知られている（特許文献１参照）。
【先行技術文献】
【特許文献】
【０００３】
【特許文献１】特開２００９−１５４３４４号公報
【発明の概要】
【発明が解決しようとする課題】
【０００４】
しかしながら、従来のインクジェット・ディジタル印刷機においては、バルブやチェッ
クバルブを固定する構成について、何ら考慮されていなかった。
【０００５】
本発明は、複数のバルブをマニホールド部に適切に固定することができる記録装置を提
供することを課題としている。
【課題を解決するための手段】
【０００６】
本発明の記録装置は、記録媒体が載置される載置面が複数の吸引エリアに区画され、各
吸引エリアに吸引孔が設けられたテーブル部と、テーブル部に載置された記録媒体に対し
、画像を記録する記録部と、吸引エリア毎に吸引孔に連なる複数の個別吸引管と、複数の
個別吸引管と、各個別吸引管を介して吸引孔に吸引力を作用させる吸引源と、の間に設け
られたマニホールド部と、各個別吸引管とマニホールド部との間に設けられた複数のバル
ブと、各バルブとマニホールド部とを接続する複数の継手部と、を備えたことを特徴とす
る。
【０００７】
この構成によれば、バルブが、継手部を介して、マニホールド部に固定される。このた
め、バルブを継手を介して管と接続し、継手の外周を保板金等の保持部材により保持する
場合のように、継手と保持部材との間にガタが生じることなく、複数のバルブをマニホー
ルド部に適切に固定することができる。
【０００８】
この場合、各バルブは、バルブ本体と、操作レバーと、を有し、各継手部は、吸引上流
側から順に、食い込み継手と、継手接続部材と、を有し、継手接続部材は、マニホールド
部と食い込み継手とを接続する接続管部、を含み、接続管部を軸とした所定の回転姿勢で
マニホールド部に固定され、食い込み継手は、接続管部が差し込まれる差込口が設けられ
た継手本体と、継手本体に螺合するナットと、継手本体とナットとの間に挟まれたスリー
ブと、を含むことが好ましい。
【０００９】
この構成によれば、バルブと継手接続部材とが、食い込み継手を介して接続されるため
、バルブは、継手接続部材に対し、バルブの軸方向を軸とした任意の回転姿勢で、接続さ
れる。また、継手接続部材は、マニホールド部に対し、接続管部を軸とした所定の回転姿
勢で、固定される。このため、バルブは、マニホールド部に対し、バルブの軸方向を軸と
した任意の回転姿勢で、食い込み継手および継手接続部材を介して固定される。したがっ
て、バルブの操作レバーを任意の方向に向けた状態で、バルブをマニホールド部に固定す
ることができる。
【００１０】
この場合、各バルブ本体は、各操作レバーが着脱可能に取り付けられるレバー取付部、
を含み、各操作レバーを各レバー取付部に取り付けるためのレバー開口が形成された操作
パネル、をさらに備えたことが好ましい。
【００１１】
この構成によれば、複数のバルブ間で、レバー取付部が向く方向を揃えた状態で、複数
のバルブをマニホールド部に固定することができる。このため、操作パネルに設けられた
レバー開口を介して、操作レバーをレバー取付部に適切に取り付けることができる。
【００１２】
この場合、吸引源、をさらに備え、吸引源は、テーブル部に対し、操作パネルとは反対
側に設けられていることが好ましい。
【００１３】
この構成によれば、吸引源は、オペレーターが位置する操作パネルから離れて設けられ
る。このため、オペレーターが感じる吸引源の騒音レベルを軽減することができる。
【００１４】
この場合、管状のフレーム部材を有し、テーブル部を支持するベース部、をさらに備え
、マニホールド部は、フレーム部材で構成されていることが好ましい。
【００１５】
この構成によれば、ベース部を構成するフレーム部材をマニホールド部として利用する
ことで、マニホールド部を構成するための部材をベース部とは別に設ける必要がない。
【図面の簡単な説明】
【００１６】
【図１】本発明の第１実施形態に係る記録装置の斜視図である。
【図２】記録部の正面図である。
【図３】（ａ）はステージ部の斜視図であり、（ｂ）は操作部周りの一部透視図である。
【図４】（ａ）はステージ部の構成図、（ｂ）は吸引部の配管系統図である。
【図５】マニホールド周りの構成を示す斜視図である。
【図６】本発明の第２実施形態に係る記録装置におけるステージ部の斜視図である。
【図７】図６とは別の角度から見たステージ部の斜視図である。
【発明を実施するための形態】
【００１７】
以下、添付の図面を参照し、本発明の第１実施形態に係る記録装置について説明する。
この記録装置は、紫外線硬化型インク（以下「ＵＶインク」という。）をインクジェット
方式で吐出することにより、記録媒体に所望の画像を形成するものである。記録媒体とし
ては、例えば、厚紙、プラスチック板、ガラス板、セラミック板などが用いられる。
なお、以下では、図に示した「上」「下」「左」「右」「前」「後」を用いて説明する
が、これらの方向は説明の便宜上のものであり、本発明の実施に関しては、これらの方向
に限定されることはない。また、左右方向を「Ｘ軸方向」ともいい、前後方向を「Ｙ軸方
向」ともいう。
【００１８】
図１に示すように、記録装置１は、いわゆるフラットベッドタイプのものである。記録
装置１は、記録媒体Ｍ（図３参照）が載置されるステージ部２と、ステージ部２に載置さ
れた記録媒体Ｍに対し、Ｙ軸方向（前後方向）に間欠移動しながら記録を行う記録部３と
を備えている。また、記録装置１は、図示省略したが、記録部３をＹ軸方向に移動させる
Ｙ軸移動機構を備えている。Ｙ軸移動機構は、ステージ部２の下方に設けられている。な
お、Ｙ軸移動機構は、モーター駆動のボールネジ機構で構成されている。
【００１９】
図２に示すように、記録部３は、記録ユニット４と、記録ユニット４をＸ軸方向（左右
方向）に移動させるＸ軸移動機構５と、記録ユニット４のＸ軸方向への移動をガイドする
上下２本のＸ軸ガイド６と、これらを覆ったカバー７（図１参照）とを備えている。なお
、Ｘ軸移動機構５は、モーター駆動のベルト機構で構成されている。
【００２０】
記録ユニット４は、吐出部８と、吐出部８の左右に設けられた紫外線照射部９とを備え
ている。吐出部８は、ステージ部２に載置された記録媒体Ｍに対して、ＵＶインクを吐出
する。吐出部８は、図示しないが、ＵＶインクを吐出するインクジェットヘッド（図示省
略）を搭載し、インクジェットヘッドには、インクタンクからインク供給チューブを介し
てＵＶインクが供給される。各紫外線照射部９は、記録媒体Ｍに着弾したＵＶインクに対
して、紫外線を照射する。吐出部８から吐出され、記録媒体Ｍに着弾したＵＶインクは、
各紫外線照射部９から照射された紫外線により硬化し、記録媒体Ｍに定着する。
【００２１】
記録装置１では、記録ユニット４が、ステージ部２に載置された記録媒体Ｍの上面に沿
って、Ｘ軸方向に往動または復動しながら、ＵＶインクの吐出および紫外線の照射を行う
動作と、改行動作、すなわち記録部３が前方から後方に向けて移動する動作と、を交互に
行うことで、記録媒体Ｍに対して、所望の画像を記録する。
【００２２】
図３および図４に示すように、ステージ部２は、記録媒体Ｍが載置されるテーブル部１
１と、テーブル部１１を略水平に支持するベース部１２と、記録媒体Ｍをテーブル部１１
に吸着セットするための吸引部１３とを備えている。
【００２３】
ベース部１２は、４本の脚材１４と、４本の脚材１４に支持され前後に延在する左右２
本の構造形材１５と、前方の２本の脚材１４間の上方に設けられた操作部１６とを備えて
いる。さらに、ベース部１２は、操作部１６の左右略中間部に設けられた操作部フレーム
１７と、左側の構造形材１５と操作部フレーム１７との間に設けられた配管プレート１８
とを備えている。配管プレート１８には、後述する４本の個別吸引管３４が個々に挿通す
る４つの挿通開口１９が形成されている。
【００２４】
左右の構造形材１５は、断面方形の鋼管から成り、左右の構造形材１５間を渡すように
して、テーブル部１１が支持されている。また、後述するように、左側の構造形材１５は
、吸引部１３の一部としても機能している。
【００２５】
操作部１６は、右方から順に、開閉蓋２１と、操作パネル２２とを備えている。開閉蓋
２１と操作パネル２２との間の下方に、操作部フレーム１７が設けられている。
【００２６】
開閉蓋２１の左右両端部には、取っ手２３（図１参照）が設けられている。開閉蓋２１
の内部は、オペレーターが記録ユニット４の保守作業を行う際の作業スペースとなってい
る。操作パネル２２の上面には、非常用の停止ボタン２４や、後述する４つの操作レバー
５３などが設けられている。また、操作パネル２２には、操作レバー５３を、後述するレ
バー取付部５６（図５参照）に取り付けるための４つのレバー開口（図示省略）が設けら
れている。
【００２７】
テーブル部１１は、上面が開放された浅い箱状のボックス部２５と、ボックス部２５の
上面を覆う４枚の載置プレート２６とを備えている。載置プレート２６の上面が、記録媒
体Ｍが載置される載置面２７となる。載置プレート２６は、例えばアルミ製のパンチング
メタルで構成されており、載置面２７には、円形の吸引孔２８が縦横に複数設けられてい
る。各吸引孔２８は、載置プレート２６を上下に貫通している。なお、図４（ａ）では、
図を明確にするため、載置面２７の一部にのみ吸引孔２８を示したが、実際には、載置面
２７の略全域に亘って吸引孔２８が設けられている。
【００２８】
ボックス部２５および４枚の載置プレート２６は、後述するファン３２に連なるチャン
バーを構成している。チャンバーは、ボックス部２５と載置プレート２６との間に設けら
れたシール材２９により、前方から順に、第１室３１ａ、第２室３１ｂ、第３室３１ｃお
よび第４室３１ｄの４つに区画されている。
【００２９】
４枚の載置プレート２６は、第１室３１ａ〜第４室３１ｄに対応するように、前後に並
んでいる。第１室３１ａに対応する載置面２７を、第１吸引エリア２７ａといい、第２室
３１ｂに対応する載置面２７を、第２吸引エリア２７ｂといい、第３室３１ｃに対応する
載置面２７を、第３吸引エリア２７ｃといい、第４室３１ｄに対応する載置面２７を、第
４吸引エリア２７ｄという。詳細は後述するが、第１吸引エリア２７ａ〜第４吸引エリア
２７ｄに設けられた吸引孔２８には、吸引部１３により吸引力が作用するようになってい
る。もちろん、チャンバーの区画数や、それに対応した載置面２７のエリア数は、４つに
限定されるものではない。
【００３０】
吸引部１３は、左側の構造形材１５と、左側の構造形材１５の後端に連なるファン３２
と、左側の構造形材１５の前端に連なるマニホールド３３と、マニホールド３３と第１室
３１ａ〜第４室３１ｄとをそれぞれ接続する４本の個別吸引管３４とを備えている。ファ
ン３２と構造形材１５とは、第１接続管３５により接続され、構造形材１５とマニホール
ド３３とは、第２接続管３６により接続されている。すなわち、第１室３１ａ〜第４室３
１ｄからファン３２に至る吸引流路が、個別吸引管３４、マニホールド３３、第２接続管
３６、構造形材１５および第１接続管３５により構成されている。なお、構造形材１５に
は、負圧計３７が設けられている。
なお、ファン３２は、「吸引源」の一例である。
【００３１】
４本の個別吸引管３４は、例えば、アルミ製フレキシブルダクトで構成されている。第
１室３１ａ〜第４室３１ｄに接続された各個別吸引管３４は、配管プレート１８に設けら
れた挿通開口１９を通って、後述する開閉バルブ３９に接続されている。
【００３２】
ファン３２は、各個別吸引管３４を介して第１室３１ａ〜第４室３１ｄ内を排気するこ
とで、載置プレート２６に設けられた吸引孔２８に負圧吸引力を作用させる。この負圧吸
引力により、載置面２７に記録媒体Ｍが吸着保持される。なお、ファン３２の吸気側およ
び排気側には、それぞれフィルタ４１が設けられている。
【００３３】
ファン３２は、テーブル部１１に対し、操作パネル２２とは反対側に設けられている。
すなわち、操作パネル２２がテーブル部１１よりも前方に設けられているのに対し、ファ
ン３２は、テーブル部１１よりも後方に設けられている。このため、ファン３２は、オペ
レーターが位置する操作パネル２２から離れて設けられる。したがって、オペレーターが
感じるファン３２の騒音レベルを軽減することができる。
【００３４】
マニホールド３３は、操作パネル２２の下方に設けられている。すなわち、マニホール
ド３３は、左右両側に取り付けられた固定板金３８を介して、操作部フレーム１７の左側
面と、左前方の脚材１４の右側面上部とに固定されている。このとき、マニホールド３３
は、長手方向が略水平となるようにして固定される。
【００３５】
各個別吸引管３４とマニホールド３３との間には、開閉バルブ３９が設けられている。
個別吸引管３４と開閉バルブ３９とを接続する構成や、開閉バルブ３９とマニホールド３
３とを接続する構成については、後述する。
なお、開閉バルブ３９は、「バルブ」の一例である。
【００３６】
各開閉バルブ３９は、手動式バルブであり、各開閉バルブ３９を開閉操作するための操
作レバー５３を備えている。操作レバー５３は、上述したように、操作パネル２２の上面
に設けられている。操作レバー５３により開閉バルブ３９を開閉操作することで、第１室
３１ａ、第２室３１ｂ、第３室３１ｃおよび第４室３１ｄが、ファン３２に対し、連通状
態と非連通状態との間で個々に切り替えられる。
【００３７】
例えば、第１吸引エリア２７ａ〜第３吸引エリア２７ｃに記録媒体Ｍが載置された場合
、オペレーターは、第１室３１ａ〜第３室３１ｃに連なる個別吸引管３４に設けられた開
閉バルブ３９を開弁操作すると共に、第４室３１ｄに連なる個別吸引管３４に設けられた
開閉バルブ３９を閉弁操作する。この状態で、ファン３２が駆動開始すると、記録媒体Ｍ
が載置された第１吸引エリア２７ａ、第２吸引エリア２７ｂおよび第３吸引エリア２７ｃ
に設けられた吸引孔２８に、吸引力が作用する。このため、記録媒体Ｍが載置面２７に吸
着し、記録媒体Ｍを反りのない状態とすることができる。また、第４室３１ｄに連なる個
別吸引管３４に設けられた開閉バルブ３９が閉弁されているため、記録媒体Ｍが載置され
ていない第４吸引エリア２７ｄの吸引孔２８から、無駄に空気を吸引することが抑制され
る。
【００３８】
図５を参照して、吸引部１３におけるマニホールド３３周辺の各構成部品について、さ
らに詳細に説明する。なお、以下では、第１室３１ａ〜第４室３１ｄからファン３２に至
る吸引流路のうち、第１室３１ａ〜第４室３１ｄ側を吸引上流側ともいい、ファン３２側
を吸引下流側ともいう。
【００３９】
吸引部１３は、各個別吸引管３４とマニホールド３３との間に、吸引上流側から順に、
中継継手４２と、上記した開閉バルブ３９と、継手部４３とを備えている。継手部４３は
、吸引上流側から順に、食い込み継手４４と、継手接続部材４５とを備えている。さらに
、吸引部１３は、第２接続管３６とマニホールド３３とを接続する管接続部材４６を備え
ている。なお、これらの中継継手４２、開閉バルブ３９、食い込み継手４４、継手接続部
材４５および管接続部材４６は、ステンレス鋼等の剛体で構成されている。
【００４０】
中継継手４２は、吸引上流側の大径部４７と、吸引下流側の小径部４８と、大径部４７
と小径部４８との間に設けられたフランジ状の中間部４９とを備えている。大径部４７に
は、個別吸引管３４が、中間部４９に突き当たるまで嵌め込まれ、ホースバンドなどの締
付け具（図示省略）により、大径部４７に個別吸引管３４が固定される。なお、大径部４
７と個別吸引管３４との間には、Ｏリング５１が設けられている。一方、小径部４８の外
周面には、雄ネジが形成されている。小径部４８は、開閉バルブ３９の第１ポート５４（
後述する）に形成された雌ネジと螺合する。
【００４１】
開閉バルブ３９は、バルブ本体５２と、バルブ本体５２に取り付けられた操作レバー５
３とを備えている。バルブ本体５２は、全体として略円筒状に形成されている。バルブ本
体５２は、吸引上流側の第１ポート５４と、吸引下流側の第２ポート５５と、操作レバー
５３が取り付けられるレバー取付部５６とを備えている。
【００４２】
第１ポート５４の内周面には、雌ネジが形成されており、上記した中継継手４２の小径
部４８と螺合する。同様に、第２ポート５５の内周面には、雌ネジが形成されており、食
い込み継手４４の第１雄ネジ部６１（後述する）と螺合する。第１ポート５４および第２
ポート５５の外周面には、汎用の締結工具で把持される、略正八角形状の工具掛け部がそ
れぞれ設けられている。レバー取付部５６は、開閉バルブ３９の軸方向略中間部の外周面
から径方向に突出形成されている。操作レバー５３は、レバー取付部５６に対して着脱可
能に取り付けられる。
【００４３】
食い込み継手４４は、継手本体５７と、継手本体５７に螺合するナット５８と、継手本
体５７とナット５８との間に挟まれた環状のスリーブ（図示省略）とを備えている。
【００４４】
継手本体５７は、全体として略円筒状に形成されている。継手本体５７は、吸引上流側
の第１雄ネジ部６１と、吸引下流側の第２雄ネジ部６２と、第１雄ネジ部６１と第２雄ネ
ジ部６２との間に設けられた略正六角形状の工具掛け部６３とを備えている。また、継手
本体５７の吸引下流側の端面には、接続管部６６（後述する）が差し込まれる差込口（図
示省略）が形成されている。第１雄ネジ部６１は、上記した開閉バルブ３９の第２ポート
５５に螺合する。また、第２雄ネジ部６２には、ナット５８が螺合する。
【００４５】
継手接続部材４５は、小ネジ６４により、Ｏリング６５を介して、マニホールド３３に
固定される。継手接続部材４５は、円筒状の接続管部６６と、接続管部６６の吸引下流側
寄りに設けられたフランジ部６７とを備えている。接続管部６６の吸引上流側は、食い込
み継手４４の差込口に差し込まれ、接続管部６６の吸引下流側は、後述する上流側接続開
口７５に差し込まれる。フランジ部６７は、角丸矩形板状に形成されており、その左右両
端部には、小ネジ６４が挿通する段付き孔６８が形成されている。継手接続部材４５は、
小ネジ６４により、マニホールド３３に固定されることで、接続管部６６を軸とした所定
の回転姿勢でマニホールド３３に固定される。より具体的には、継手接続部材４５は、フ
ランジ部６７の長手方向と、マニホールド３３の長手方向とが、略平行になるようにして
、マニホールド３３に固定される。
【００４６】
管接続部材４６は、継手接続部材４５と同様に構成されており、小ネジ６９により、Ｏ
リング７１を介して、マニホールド３３に固定される。管接続部材４６は、短円筒状の円
筒管部７２と、フランジ状のプレート部７３とを備えている。円筒管部７２の吸引上流側
は、後述する下流側接続開口７６に差し込まれ、円筒管部７２の吸引下流側には、第２接
続管３６が、プレート部７３に突き当たるまで嵌め込まれ、ホースバンド等により、円筒
管部７２に第２接続管３６が固定される。プレート部７３は、略矩形板状に形成されてお
り、その左右両端部には、小ネジ６９が挿通する段付き孔７４が形成されている。
【００４７】
マニホールド３３は、左右に細長い中空の略直方体状に形成されている。マニホールド
３３の広い一方の面には、継手接続部材４５が接続する４つの上流側接続開口７５と、管
接続部材４６が接続する下流側接続開口７６との計５つの円形開口が、左右１列に並んで
設けられている。各上流側接続開口７５の左右両側には、小ネジ６４が螺合するネジ孔７
７が設けられている。同様に、下流側接続開口７６の左右両側には、小ネジ６９が螺合す
るネジ孔７８が設けられている。
【００４８】
ここで、マニホールド３３周辺の各構成部品を組み立てる手順について説明する。まず
、オペレーターは、操作レバー５３が取り外されたバルブ本体５２と食い込み継手４４と
をネジ込み接続する。続いて、オペレーターは、ナット５８およびスリーブを継手接続部
材４５の接続管部６６に嵌め、その接続管部６６を食い込み継手４４の差込口に差し込み
、その状態で、ナット５８を締め込み、食い込み継手４４と継手接続部材４５とを接続す
る。このとき、オペレーターは、バルブ本体５２のレバー取付部５６を、マニホールド３
３の長手方向に対し、略直交する一の方向に向けた状態で、ナット５８を締める。
【００４９】
続いて、オペレーターは、継手接続部材４５をマニホールド３３にネジ止めし、また、
管接続部材４６をマニホールド３３にネジ止めする。そして、オペレーターは、操作パネ
ル２２を操作部１６から取り外し、マニホールド３３を、固定板金３８を介して、操作部
フレーム１７および脚材１４に固定する。このとき、上述したように、４つのレバー取付
部５６は、マニホールド３３の長手方向に対して略直交する一の方向に向いているため、
マニホールド３３が操作部フレーム１７および脚材１４に固定された状態では、４つのレ
バー取付部５６は、いずれも、上方を向いた状態となる。
【００５０】
続いて、オペレーターは、バルブ本体５２に中継継手４２をネジ込み接続する。続いて
、オペレーターは、中継継手４２に個別吸引管３４を接続し、また、管接続部材４６に第
２接続管３６を接続する。続いて、オペレーターは、操作パネル２２を操作部１６に取り
付ける。最後に、オペレーターは、操作パネル２２に設けられたレバー開口を介して、上
方を向いたレバー取付部５６に、操作レバー５３を取り付ける。
なお、これらの手順の順番は、これに限定されるものではなく、作業に支障のない範囲
で、相前後しても構わない。
【００５１】
以上のように、第１実施形態の記録装置１によれば、開閉バルブ３９が、食い込み継手
４４および継手接続部材４５を介して、マニホールド３３に固定される。このため、バル
ブを継手を介して管と接続し、継手の外周を保板金等の保持部材により保持する場合のよ
うに、継手と保持部材との間にガタが生じることなく、複数の開閉バルブ３９をマニホー
ルド３３に適切に固定することができる。
【００５２】
さらに、第１実施形態によれば、開閉バルブ３９と継手接続部材４５とが、食い込み継
手４４を介して接続されるため、開閉バルブ３９は、継手接続部材４５に対し、締め込み
量に左右されることなく、開閉バルブ３９の軸方向を軸とした任意の回転姿勢で、接続さ
れる。また、継手接続部材４５は、マニホールド３３に対し、接続管部６６を軸とした所
定の回転姿勢で、固定される。このため、開閉バルブ３９は、マニホールド３３に対し、
開閉バルブ３９の軸方向を軸とした任意の回転姿勢で、食い込み継手４４および継手接続
部材４５を介して固定される。したがって、開閉バルブ３９の操作レバー５３を任意の方
向に向けた状態で、開閉バルブ３９をマニホールド３３に固定することができる。より具
体的には、複数の開閉バルブ３９間で、レバー取付部５６が向く方向を揃えた状態で、複
数の開閉バルブ３９をマニホールド３３に固定することができる。このため、操作パネル
２２に設けられたレバー開口を介して、操作レバー５３をレバー取付部５６に適切に取り
付けることができる。
【００５３】
このように、第１実施形態では、継手部４３を、食い込み継手４４および継手接続部材
４５により構成したが、これに限定されるものではなく、例えば、継手接続部材４５の接
続管部６６に雄ネジを形成し、食い込み継手４４を介さず、継手接続部材４５に開閉バル
ブ３９を直接固定するようにしてもよい。この場合にも、例えば、接続管部６６に巻くシ
ールテープの巻き量により、締込み量を調整することで、本実施形態と同様に、開閉バル
ブ３９の操作レバー５３を任意の方向に向けた状態で、開閉バルブ３９をマニホールド３
３に固定することができる。もっとも、本実施形態によれば、シールテープの巻き量によ
り締込み量を調整するといった微妙な調整作業を要しないため、作業性を向上させること
ができる。
【００５４】
続いて、第２実施形態に係る記録装置について説明する。第２実施形態の記録装置は、
第１実施形態の記録装置と略同様に構成されているが、ベース部に設けられたフレーム部
材により、マニホールド部が構成されている点で相違する。
【００５５】
図６および図７に示すように、第２実施形態の記録装置１におけるステージ部２は、テ
ーブル部１１を支持するベース部１２が、左右の構造形材１５の前端部間に設けられたフ
レーム部材８１を備えている。フレーム部材８１は、構造形材１５よりも小さい断面方形
の鋼管から成り、フレーム部材８１の内部と構造形材１５の内部とは繋がっている。
【００５６】
そして、フレーム部材８１の下面には、上記のマニホールド３３と同様にして、４個の
開閉バルブ３９が、それぞれ、食い込み継手４４および継手接続部材４５を介して、固定
されている。各開閉バルブ３９には、中継継手４２を介して、個別吸引管３４が接続され
ている。すなわち、第２実施形態では、第１室３１ａ〜第４室３１ｄからファン３２に至
る吸引流路が、個別吸引管３４、フレーム部材８１、構造形材１５および第１接続管３５
により構成されている。
【００５７】
第２実施形態の記録装置１では、フレーム部材８１が、第１実施形態のマニホールド３
３と同様に機能している。このように、ベース部１２を構成するフレーム部材８１をマニ
ホールド部として利用することで、マニホールド部を構成するための部材をベース部１２
とは別に設ける必要がない。
【００５８】
なお、第２実施形態では、フレーム部材８１をマニホールド部としたが、これに限定さ
れるものではなく、４本の個別吸引管３４とファン３２との間に設けられ、ファン３２に
連なる吸引流路を構成している部材であれば、いずれをマニホールド部としてもよく、例
えば、左側の構造形材１５をマニホールド部としてもよい。
【００５９】
なお、バルブとしては、特に限定されるものではなく、例えば、開閉バルブ、流量調整
バルブ、チェックバルブなどを用いることができる。
吸引源としては、特に限定されるものではなく、例えば、ファン、吸引ポンプなどを用
いることができる。
記録部としては、特に限定されるものではなく、例えば、インクジェット方式によりイ
ンクを吐出するものを用いることができる。インクとしては、例えば、一般的な水性イン
クや油性インクのほか、Ｘ線、紫外線、可視光線、赤外線等の照射により硬化する電磁波
硬化型インクを用いることができる。
【符号の説明】
【００６０】
１：記録装置、３：記録部、１１：テーブル部、２７：載置面、２８：吸引孔、３２：
ファン、３３：マニホールド、３４：個別吸引管、４３：継手部、Ｍ：記録媒体
【図１】
2015182281.tif 000003
【図２】
2015182281.tif 000004
【図３】
2015182281.tif 000005
【図４】
2015182281.tif 000006
【図５】
2015182281.tif 000007
【図６】
2015182281.tif 000008
【図７】
2015182281.tif 000009